(57)【特許請求の範囲】
【請求項１】
記録媒体が収納されたカートリッジが挿入されて保持されるホルダーを有し、このホルダーの昇降移動によって上記記録媒体が、その記録及び／又は再生を行う記録再生位置に対してローディング或いはアンローディングされる記録再生装置において、
上記記録再生位置において上記記録媒体が載置され、記録及び／又は再生動作のために上記記録媒体を駆動する駆動手段と、
昇降操作用のカムが側部に設けられ、上記カートリッジの挿入方向に対して平行にスライドすることによって上記ホルダーを上記記録再生位置に対して昇降させる昇降手段と、を備え、
上記昇降手段は、側部にそれぞれ上記ホルダーと係合するカム溝を有する第１のスライド部材と第２のスライド部材を上記ホルダーの両側に分割配置して構成され、
上記第１のスライド部材は透孔を有し、上記第２のスライド部材はその透孔に所定のクリアランスをもって係合される突部を有して成り、この透孔と突部の係合によって上記第１のスライド部材と第２のスライド部材が相対的に微動可能な状態で連結されていることを特徴とする記録再生装置。
【発明の詳細な説明】
技術分野
本発明は、カートリッジに収納される記録媒体、特に光磁気ディスクに情報を記録又は再生および記録再生する場合に用いて好適な記録再生装置に関する。
背景技術
一般に、光磁気ディスクを記録再生する光磁気ディスク装置は、ディスクカートリッジのカートリッジ内に回転可能に収納された光磁気ディスクに対して情報信号の書き込み及び読み出しあるいはいずれか一方を行うディスク装置として知られている。
これは、ディスクカートリッジを保持するカートリッジホルダーを有するカートリッジローディング機構と、このカートリッジローディング機構の下方に設けられ光磁気ディスクを回転駆動するスピンドルモータ及び光磁気ディスクを保持するディスクテーブルを有する回転機構と、この回転機構の後方に設けられ対物レンズを有する光学ピックアップ装置と、この光学ピックアップ装置の上方に設けられ磁界印加ヘッドを有する外部磁界発生装置と、この外部磁界発生装置及び光学ピックアップ装置の前方に設けられた回転機構を昇降する昇降機構等とから大略構成されている。
このように構成された光磁気ディスク装置においては、ディスクカートリッジを所定のカートリッジ装着位置に搬送した後、このカートリッジ装着位置で光磁気ディスクを回転操作し、光磁気ディスクに対して情報信号の書き込みと読み出しが行われる。
このような、従来の光磁気ディスク装置においては、ディスクカートリッジを挿入保持するカートリッジホルダーをローディング位置とアンローディング位置に移動させるスライダー装置は左右にカートリッジホルダーを支持するカム部が形成されているが、このカム部は左右対称に正確に位置決めして形成することが困難で、このためカートリッジホルダーの移動が円滑に行われない場合があり、また、カートリッジホルダーに傾きが生じてディスクカートリッジとの挿抜に支障を来すおそれもあった。
発明の開示
本発明は、かかる点に鑑みてなされたもので、カートリッジホルダーを常に正位置に支持できて、その移動が円滑に行われると共にディスクカートリッジの挿抜も円滑に行われると共に、確実に光磁気ディスクに情報を記録又は再生および記録再生を行うことができるようにした記録再生装置を提供することを目的とする。
本発明による記録再生装置は、記録媒体が収納されたカートリッジが挿入されて保持されるホルダーを有し、このホルダーの昇降移動によって記録媒体が、その記録及び／又は再生を行う記録再生位置に対してローディング或いはアンローディングされる記録再生装置であって、記録再生位置において記録媒体が載置され、記録及び／又は再生動作のために上記記録媒体を駆動する駆動手段と、昇降操作用のカムが側部に設けられ、カートリッジの挿入方向に対して平行にスライドすることによってホルダーを記録再生位置に対して昇降させる昇降手段と、を備え、昇降手段は、側部にそれぞれホルダーと係合するカム溝を有する第１のスライド部材と第２のスライド部材をホルダーの両側に分割配置して構成され、第１のスライド部材は透孔を有し、第２のスライド部材はその透孔に所定のクリアランスをもって係合される突部を有して成り、この透孔と突部の係合によって第１のスライド部材と第２のスライド部材が相対的に微動可能な状態で連結されていることを特徴とするものである。
本発明による記録再生装置においては、カートリッジホルダーを昇降移動させる昇降手段を第１と第２のスライド部材とをクリアランスをもった状態で連結して構成したことにより、両スライド部材をそれぞれのカム部を正確に対応させるように調整できる。また、ディスクカートリッジのローディング、アンローディングを安定して円滑に行えると共にディスクのチャッキングを正確に行うことができる。
【図面の簡単な説明】
図１は本発明における一例の記録再生装置の要部を示す一部截断した分解斜視図、図２は本発明における一例の記録再生装置とディスクカートリッジの外観を示す斜視図、図３は本発明における一例の記録再生装置の内部構造を示す斜視図、図４は本発明における一例の記録再生装置の一部を示す分解斜視図、図５は本発明における一例の記録再生装置のシャーシを示す斜視図、図６は本発明における一例のカートリッジホルダーを示す斜視図、図７はディスクカートリッジロック装置の分解斜視図、図８は本発明における一例のスライダー装置を示す斜視図、図９は本発明における一例のローディング機構の左側面図、図１０は本発明における一例の昇降機構に対するスピンドルモータの取付状態を示す分解斜視図、図１１は本発明における一例の光学ピックアップ装置の一分分解した斜視図、図１２は本発明における一例の光学ピックアップ装置の断面図、図１３は本発明における一例の対物レンズ支持装置の斜視図、図１４は図１３に示す対物レンズ支持装置の要部の拡大断面図、図１５は本発明における一例の伝達ギアを示す側面図、図１６は本発明における一例の伝達機構を示す分解斜視図、図１７は本発明における一例の伝達機構を示す側面図、図１８は本発明における一例の伝達機構を示す背面図、図１９は本発明における一例の伝達機構を示す断面図、図２０はディスクカートリッジの上面側斜視図、図２１はディスクカートリッジの下面側斜視図、図２２はディスクカートリッジのカートリッジホルダーに対する装着途中におけるシャッタ開放ピンとディスクカートリッジとの係合状態を示す一部截断した平面図、図２３はディスクカートリッジのカートリッジホルダーに対する装着途中においてシャッタ開放ピンによってシャッタ部材が開放され始めた状態を示す平面図、図２４はディスクカートリッジのカートリッジホルダーに対する到着途中においてシャッタ開放ピンによってシャッタ部材が開放された中間状態を示す平面図、図２５はディスクカートリッジのカートリッジホルダーに対する装着途中においてシャッタ開放ピンによってシャッタ部材が全開した状態を示す一部截断した平面図、図２６は図２５における一部分の拡大断面図、図２７はローディング状態における昇降機構の動作状態を示す左側側面図、図２８はローディング状態における昇降機構の動作状態を示す右側側面図、図２９はアンローディング状態におけるリフター機構の動作状態を示す側面図、図３０はローディング状態とアンローディング状態との中間におけるリフター機構の動作状態を示す側面図、図３１はローディング状態におけるリフター機構の動作状態を示す側面図、図３２は本発明における他例のカートリッジホルダーの一部截断した斜視図、図３３は図３２における要部の平面図、図３４は図３３に示すカートリッジホルダーからディスクカートリッジを取出す状態を示す平面図である。
発明を実施するための最良の形態
以下、本発明を光磁気ディスク装置に適用した場合について、図に示す実施例によって詳細に説明する。
先ず、この光磁気ディスク装置に装着される光磁気ディスクが回転可能に収納されるディスクカートリッジにつき、図２０及び図２１を用いて説明する。
同図において、このディスクカートリッジ２０１は、円盤状に形成してなる光磁気ディスク２０２と、この光磁気ディスク２０２を回転可能に収納するカートリッジ２０３とを有して構成されている。
このうち光磁気ディスク２０２にはデータ記録領域に磁気記録層が形成されており、この磁気記録層に光磁気的な手段によって情報信号の書き込み及び読み出しあるいは一方が行われる。この光磁気ディスク２０２は、一方の主面部が信号記録面となり、ディスク中央部には金属材料からなる円盤状のチャッキングハブ２０２ａが設けられている。
一方、カートリッジ２０３は、光磁気ディスク２０２を内部に収納し得るに十分な空間を有する略箱状の上下一対の上ハーフ２０４と下ハーフ２０５からなり、これら各ハーフ２０４，２０５を互いに突き合わせて構成されている。このカートリッジ２０３の前面部２０９にはカートリッジホルダーのシャッタ開放ピン（後述）が嵌合してカートリッジ開口部を開蓋状態とするシャッタ開放部材嵌入部２２４が設けられており、両側面部２０７，２０８のほぼ前半部にはディスク収納部に位置しない範囲で図２０に示すように下ハーフ２０５側に誤挿入防止溝２０７ａ，２０８ａが形成され、この溝２０７ａ，２０８ａの内側面即ち、下ハーフ２０５の側面の前方部寄りにはカートリッジ挿入時にカートリッジホールドピン（後述）が嵌入係合するピン嵌入用孔２２８，２２９が誤挿入防止溝２０７ａ，２０８ａに連続して形成されている。本例ではカートリッジ２０３の両誤挿入防止溝２０７ａと２０８ａとの間隔寸法は３．５インチマイクロフロッピーディスクのケースであるシェルの幅寸法の最小値より小さく、また、誤挿入防止溝２０７ａ，２０８ａに対応する上ハーフ２０４の側面部であるリブ状部の厚み寸法はフロッピーディスクのシェルの厚み寸法より小さくなっている。
即ち、本例のディスクカートリッジ２０１を示す図２０および図２１において、カートリッジ２０３の全幅寸法Ｌ1は９２．０ｍｍ（±０．２ｍｍ）に、全長寸法Ｌ2は、９７．０ｍｍ（±０．３ｍｍ）に、両側部の厚み寸法Ｌ3は５．０ｍｍ（±０．２ｍｍ）にそれぞれ設定されており、また、両誤挿入防止溝２０７ａ，２０８ａのそれぞれの幅寸法Ｌ4，Ｌ5は２．５ｍｍ（±０．３ｍｍ／−０．０ｍｍ）に、長さ寸法Ｌ6，Ｌ7は３８．５ｍｍに、深さ寸法Ｌ8，Ｌ9は３．０ｍｍ（±０．２ｍｍ）にそれぞれ設定してある。
これにより、本例のディスクカートリッジ２０１のカートリッジ２０３において、両誤挿入防止溝２０７ａと２０８ａの間隔寸法Ｌ10はＬ1−（Ｌ4＋Ｌ5）でほぼ８７．０ｍｍとなり、また、誤挿入防止溝２０７ａ，２０８ａに対応する上ハーフ２０４の両側面部であるリブ状部の厚み寸法Ｌ11，Ｌ12はそれぞれＬ3−Ｌ8，Ｌ3−Ｌ9でほぼ２．０ｍｍとなる。このように形成される本例のディスクカートリッジ２０１のカートリッジ２０３に対して３．５インチマイクロフロッピーディスクのシェルは全幅寸法が９０．０ｍｍ（＋０．４ｍｍ／−０．１ｍｍ）に、全長寸法が９４．０ｍｍ（±０．３ｍｍ）に、厚み寸法が３．３ｍｍ（±０．２ｍｍ）にそれぞれ設定されており、従って、カートリッジ２０３の誤挿入防止溝２０７ａと２０８ａとの間隔寸法Ｌ10は３．５インチマイクロフロッピーディスクのシェルの幅寸法の最小値より小さく、また、上ハーフ２０４の誤挿入防止溝２０７ａ，２０８ａと対応する両側面部であるリブ部の厚み寸法Ｌ11，Ｌ12はそれぞれフロッピーディスクのシェルの厚み寸法より小さくなっている。
また、このカートリッジ２０３の下ハーフ２０５の後面部寄りには光磁気ディスク装置本体内のディスクカートリッジ２０１を水平方向に位置決めするカートリッジ位置決めピン（後述）が係合するカートリッジ位置決めピン係合孔２２５，２２６が設けられており、このうちカートリッジ位置決めピン係合孔２２５の近傍には光磁気ディスク２０２に対する情報信号の書き込み可否を選択するための誤消去防止部材２２７が設けられている。さらに、この下ハーフ２０５には光磁気ディスク２０２の信号記録面一部及びチャッキングハブ２０２ａをカートリッジ外に露呈させるための第１開口部２０６が設けられている。
この第１開口部２０６は、カートリッジ２０３の一方側面２０７と他方側面２０８の両面間の左右方向略中央部にカートリッジ２０３の前面部２０９側よりカートリッジ前後方向略中央部に亘って形成されて、光磁気ディスク２０２の信号記録面一部を露呈する矩形開口部２０６ａとチャッキングハブ２０２ａを露呈する円形開口部２０６ｂに幅狭で肉薄の連結面２０５ａにより分割されており、ディスクカートリッジ２０１が光磁気ディスク装置本体内に装着された時にチャッキングハブ２０２ａを円形開口部２０６ｂからディスク回転駆動機構（後述）のディスクテーブルに臨ませると共に、光磁気ディスク２０２の信号記録面を矩形開口部２０６ａから光学ピックアップ装置（後述）の対物レンズに臨ませるように構成されている。
そして、図２０に示すように上ハーフ２０４には、カートリッジ２０３の前面部２０９近傍に位置し第１開口部２０６の矩形開口部２０６ａに対応する第２開口部２１６が設けられている。
この第２開口部２１６は、光磁気ディスク２０２の他方側主面部の一部をカートリッジ外に露呈させるに十分な大きさの第１開口部２０６の矩形開口部２０６ａと同等の矩形状の開口部として形成されており、ディスクカートリッジ２０１が光磁気ディスク装置本体内に装着された時に光磁気ディスク２０２の他方側主面部を磁界印加ヘッド（後述）に臨ませるように構成されている。
なお、カートリッジ２０３の前面部２０９における各開口部２０６，２１６に対応する部位には、磁界印加ヘッド及び光学ピックアップ装置が光磁気ディスク２０２の各主面部に近接対向して容易に進入し得るようにするための切欠き凹部２０６ｃ，２１６ａが設けられている。すなわち、このカートリッジ２０３の前面部２０９近傍の中央部厚さは、第１開口部２０６及び第２開口部２１６に対応する部分において肉薄の寸法に設定されている。
また、このカートリッジ２０３には、両開口部２０６，２１６を開閉するシャッタ部材２１１が摺動自在に取り付けられている。
このシャッタ部材２１１は、下ハーフ２０５の第１開口部２０６をその両開口部２０６ａ，２０６ｂに亘って閉蓋する第１シャッタ板部２１２と、この第１シャッタ板部２１２に平行に設けられ上ハーフ２０４の第２開口部２１６を閉蓋する第２シャッタ板部２１３とにより変形コ字状に形成され、この第１シャッタ板部２１２と第２シャッタ板部２１３の基端連結部に摺動案内部材２１４を閉蓋方向に延出して固定し、カートリッジ２０３の前面部２０９に摺動可能に係合してある。
このうち第１シャッタ板部２１２は、第１開口部２０６の両開口部２０６ａ，２０６ｂを閉蓋するに十分な幅狭の長方形体として形成されている。この第１シャッタ板部２１２は、先端部がシャッタ押え板２１５によって押圧支持されており、これによりカートリッジ２０３からの浮き上がりが防止される。
一方、第２シャッタ板部２１３は、少なくとも第２開口部２１６を閉蓋するに十分な大きさの幅広の長方形体として形成されている。
そして、摺動案内部材２１４の厚さは、カートリッジ２０３の中央薄肉部厚さ、即ち、前述した切欠き凹部２０６ｃと２１６ａとによる厚さと略等しい厚さに設定されている。また、この摺動案内部材２１４とカートリッジ２０３の間には、シャッタ部材２１１を第１開口部２０６及び第２開口部２１６を閉蓋する方向に常時移動付勢する捩りコイルスプリング（図示せず）が介装されている。
なお、図２０中、矢印Ｘはシャッタ部材２１１が両開口部２０６，２１６を閉蓋する位置と両開口部２０６，２１６を開蓋する位置との間を移動する方向を示す。
次に、このように構成されたディスクカートリッジ２０１内に収納される光磁気ディスク２０２に対して記録及び／または再生を行う光磁気ディスク装置につき、図１〜図１９を用いて説明する。
本実施例の光磁気ディスク装置は、図２に示すように、断面視略コ字状のシャーシ１と、ディスクカートリッジ２０１の光磁気ディスク２０２に対して記録再生を行う各種機構を内蔵する筺体（ディスク装置本体）３と、この筺体３の前面部に設けられ例えばコンピュータ本体やサブシステム等に組み込まれた時に外部に露呈する前面パネル４とから構成されている。
このうち前面パネル４には、ディスクカートリッジ２０１を筺体３の内外に挿抜するためのカートリッジ挿抜口５が設けられており、このカートリッジ挿抜口５を開閉する塵埃侵入防止用の蓋体６が回動自在に設けられている。また、この前面パネル４には、光磁気ディスク２０２に対する記録再生動作状態を表示するための発光素子７及びディスクカートリッジ２０１を排出するためのイジェクト釦８が設けられている。
一方、筺体３には、図１、図３及び図４に示すように、ディスクカートリッジ２０１を挿抜自在に保持するカートリッジホルダー９を有するカートリッジローディング・アンローディング機構（Ａ）と、このカートリッジローディング・アンローディング機構（Ａ）の下方に設けられ光磁気ディスク２０２を回転駆動するスピンドルモータ１０及び光磁気ディスク２０２を保持するディスクテーブル（後述するスピンドル保持体）を有するディスク回転機構（Ｂ）と、カートリッジローディング・アンローディング機構（Ａ）に連動してディスク回転機構（Ｂ）を昇降する昇降機構（Ｃ）と、ディスク回転機構（Ｂ）の後方に設けられ対物レンズ１２を有する光学ピックアップ装置（Ｄ）と、この光学ピックアップ装置（Ｄ）の上方に設けられ光磁気ディスク２０２に対する磁界印加ヘッドを有する外部磁界発生装置（Ｅ）と、この外部磁界発生装置（Ｅ）の近傍に設けられ磁界印加ヘッドをローディング位置とアンローディング位置に保持するリフター機構（Ｆ）と、このリフター機構（Ｆ）の片側側方に設けられ磁界印加ヘッドにローディング用の駆動力を付与するための駆動機構（Ｇ）と、カートリッジローディング・アンローディング機構（Ａ）の後方に設けられリフター機構（Ｆ）にローディング・アンローディング用の駆動力を伝達する伝達機構（Ｈ）等とが内蔵されている。
ここで、図５において、符号１で示すシャーシの両側壁部１ｂ，１ｃの中央から前側寄りの内面側には、シャーシ底面１ａから垂直方向にカートリッジホルダー９の前後方向の位置決めと昇降を案内するための案内溝部１１が設けられている。また、このシャーシ１には、両案内溝部１１を挟む前後位置にディスクカートリッジ２０１の規準支持部１２が設けられ、シャーシ底面１ａの前半部側中央部に位置し周方向に所定の間隔をもって突出する複数のボス１４が設けられており、これらボス１４にはスピンドルモータ１０が挿通する開口部１５ａ及び開口部１５ａの直径方向に対向して下方に突出する一対のスピンドル昇降用ガイドピン１５ｂを有するスピンドルモータ位置決め部材１５が取り付けられている。この位置決め部材１５の上面には前述したディスクカートリッジ２０１の中心円形開口部２０６ｂの周面部を支持する複数の支持突面１５ｃ，１５ｄが形成され、円形開口部２０６ｂと矩形開口部２０６ａとの間の連結面２０５ａに対応する支持突面１５ｃは他の支持突面１５ｄより高く形成してある。なおこの他の支持突面１５ｄは連続して形成してもよい。
次に、光磁気ディスク２０２に対して記録再生を行う各種機構（Ａ）〜（Ｈ）の一実施例を、図１及び図３〜図１９を参照して説明する。
（Ａ）カートリッジローディング・アンローディング機構
カートリッジローディング・アンローディング機構（Ａ）には、ディスクカートリッジ２０１のシャッタ部材２１１を自動的に開放するシャッタ開放装置（Ａ−ａ）とディスクカートリッジ２０１を挿入保持するディスクカートリッジロック機構（Ａ−ｂ）を有するカートリッジホルダー９が備えられている。
このカートリッジホルダー９は、図６に示すように前後方向に開口する矩形状のカートリッジ挿抜口１８及び天井板９ａの後半部の中央部に外部磁界発生装置が進退可能に臨む凹状開口部１９を有する偏平状に形成されている。このカートリッジホルダー９の両側にはカートリッジ挿抜口１８から後方に、ディスクカートリッジ２０１をカートリッジ挿抜時に案内する案内支持部２０が形成され、この案内支持部２０の前端には複数の挿入ガイド片２１が設けられている。また、このカートリッジホルダー９の天井板９ａに、シャッタ開放装置（Ａ−ａ）が設けられている。
このシャッタ開放装置（Ａ−ａ）は、ディスクカートリッジ２０１の挿入動作に連動してシャッタ部材２１１を開放するための軌跡をもつカム溝２２と、このカム溝２２内を移動するシャッタ開放ピン２３を有するシャッタ開放ピン支持部材２４とから構成されている。
このうちカム溝２２は、ディスクカートリッジ２０１の挿入方向に斜めに傾斜する傾斜部２２ａと、この傾斜部２２ａに連続する円弧状部２２ｂと、この円弧状部２２ｂに連続しディスクカートリッジ２０１の挿入方向に略平行な直線部２２ｃとからなるカム溝によって形成されている。
一方、シャッタ開放ピン支持部材２４は、平面視略半円形状の前端部２４ａと後端部２４ｂを有し平面視略く字状の板状体によって形成され、後端部２４ｂから長手方向に向って延在し、カートリッジホルダー９の天井板９ａの後部に植立されたフランジ付きのガイドピン２５が係合する長孔からなるガイド溝２４ｃが設けられている。そして、このシャーシ開放ピン支持部材２４は、引張りコイルスプリング２６によってシャッタ開放ピン２３をカム溝２２の始端部に位置付ける方向に常時付勢されている。
また、カートリッジホルダー９の天井板９ａの後端には、ディスクカートリッジ２０１の挿入方向位置を規制するためのカートリッジ挿入位置規制片２７がカートリッジホルダー９の内方に突出するように下側に折り曲げ形成されており、凹状開口部１９の周縁にはカートリッジ２０３の上ハーフ２０４側の開口部２１６の後縁内面から両側縁内面にかけて対向する突縁部２８が内方に突出して形成されている。この突縁部２８は、天井板９ａのほぼ中央部に位置する前縁部２８ａがフロッピーディスク等の誤挿入防止手段となっており、両側縁部２８ｂ，２８ｃがディスクカートリッジ２０１の挿入時のガイド、即ちこの両側縁部２８ｂ，２８ｃに開放された状態の第２開口部２１６の両側縁部が摺接状に対応してガイドとなり、また、一方の側縁部２８ｂは開放されたシャッタ部材２１１の不要な閉塞動作の防止手段となっている。
さらに、カートリッジホルダー９の両側面中央部のやや後方寄りの下半部にはカートリッジの誤挿入を防止する係止爪片２９，２９が内方に折り曲げ形成されており、この係止爪片２９，２９の上端縁と天井板９ａの内面との間隔寸法は前述したディスクカートリッジ２０１の誤挿入防止溝２０７ａ，２０８ａに対応する上ハーフ２０４の側面部の厚み寸法Ｔと等しいか、やや大に形成されている。また、この係止爪片２９の上端縁と前述した突縁部２８の下端縁との前方から見た見掛上の間隔をフロッピーディスクシェルの厚み寸法により小の間隔寸法になっている。
そして、カートリッジホルダー９の両側面には前端と係止爪片２９との間にホルダー内外に開口する切欠き３０が形成されてシャーシ１の両側壁部１ｂ，１ｃの内面側の突出部の逃げとなっている。また、このカートリッジホルダー９の天井板９ａにはホルダー内に臨みディスクカートリッジ２０１をカートリッジ高さ方向から案内支持部２０に圧接するカートリッジ押圧ばね片３１が取り付けられている。
このカートリッジ押圧ばね片３１は、カートリッジホルダー９の天井板９ａに固定された支持部３１ａと、ホルダー内に臨みディスクカートリッジ２０１の上面に接触するカートリッジ押圧部３１ｂとから形成されている。
そして、このカートリッジホルダー９には、両側面の略中央、詳しくは、係止爪片２９と切欠き３０との間に位置して前述したシャーシ１の案内溝１１に係合するガイドピン３２が外方向に突設されており、また、両案内支持部２０の内縁側には前後位置に第１脚片３３ａと第２脚片３３ｂが下側に折り曲げ形成されて、この第１脚片３３ａと第２脚片３３ｂに後述するスライダー装置に形成された昇降カム溝に係合される第１ピン３４ａと第２ピン３４ｂが内方向に突設している。
次に、カートリッジホルダー９に備えるディスクカートリッジロック装置（Ａ−ｂ）について図６，図７を参照して説明する。
このディスクカートリッジロック装置（Ａ−ｂ）は、ディスクカートリッジ２０１の挿抜方向に進退するスライドベース３５と、このスライドベース３５に軸支されてディスクカートリッジ２０１に、その挿入により係合するロックアーム３６と、カートリッジホルダー９に軸支され、スライドベース３５の摺動と連動して回動する連動アーム３７とから構成されている。
このうち、スライドベース３５は、図６に示すように、カートリッジホルダー９の一側部の後部に前後方向に摺動可能に配されている。このスライドベース３５は、図７に示すように、断面視略コ字状で、側面部３５ａに前後方向に長い長孔からなるガイド溝３８が前後２本に形成されてカートリッジホルダー９の側面に突設したガイドピン３９に係合され、上面部３５ｂがカートリッジホルダー９の天井板９ａに摺接され、下面部３５ｃは案内支持部２０の下面側に所要間隔で対応した状態で図６に矢印ａで示す方向に進退し得るように構成されている。
このスライドベース３５の下面部３５ｃの前側部に連動アーム３７の後述する第１係合ピンが係合される切欠状の係合溝４０が設けられている。そして、このスライドベース３５の下面部３５ｃの後端部にロックアーム３６が軸ピン４１により軸支されている。
このロックアーム３６は、図７に示すように、軸支部寄りにディスクカートリッジ２０１の前面側に当接するトリガーピン４２が植立され、前端部にはディスクカートリッジ２０１の一側部のピン嵌入用孔２２８に嵌入係合するカートリッジホールドピン４３が植立されており、この両ピン４２，４３間の部面にはカム溝４４が形成されてカートリッジホルダー９の案内支持部２０の後端下面に突設された係合ピン４５に係合されている。そして、このロックアーム３６はトーションスプリング４６により、カートリッジホールドピン４３側が外方へ位置するように回転偏倚されている。
また、連動アーム３７は平面視略ヘ字状に形成されてその中央部においてカートリッジホルダー９の案内支持部２０の後部下面側に、スライドベース３５の下面部３５ｃとの間に位置して軸ピン４７により軸支されており、この連動アーム３７の外端側にはスライドベース３５に設けられた係合溝４０に係合する第１係合ピン４８が下方に向けて突設され、内端側には、後述するスライダー装置に係合する第２係合ピン４９が下方に向けて突設されている。
このように構成されるカートリッジホルダー９は、スライダー装置（Ａ−ｃ）によってカートリッジローディング時は下降され、アンローディング時は上昇される。
このスライダー装置（Ａ−ｃ）は図８に示すように左右に分割する平面視略Ｌ字状の左側スライダー５１Ｌと右側スライダー５１Ｒとを略対称的に向合せて横辺部において多少のがたを持って連結して構成され、図１及び図３に示すようにシャーシ１の底面１ａ上にスピンドルモータ位置決め部材１５を前側から両側にかけて囲繞し、前後方向に摺動可能に位置されている。
この左右スライダー５１Ｌと５１Ｒの縦辺部には外側縁の前後部に、カートリッジホルダー９の第１ピン３４ａと第２ピン３４ｂに対応して第１カム片５３ａと第２カム片５３ｂが直立折曲して設けられており、この各カム片５３ａ，５３ｂには、前端側が開放された高位置の前半平行カム溝５４ａ，５４ｂと後端が閉塞された低位置の後半平行カム溝５５ａ，５５ｂとが連通して形成されて、カートリッジホルダー９の第１、第２ピン３４ａ，３４ｂが摺動可能に係合されるようになっている。また、内側縁側には前後部に、後述するディスク回転機構の昇降機構を昇降案内する第３カム片５６ａと第４カム片５６ｂが直立折曲して設けられており、この各カム片５６ａ，５６ｂには、前方へ下り勾配をもつ傾斜カム溝５７ａ，５７ｂが形成されている。
また、左側スライダー５１Ｌの内側縁の後部には、前述したディスクカートリッジロック装置（Ａ−ｂ）の連動アーム３７の第２係合ピン４９が係合される係合溝５８をスライダーの摺動方向（前後方向）と直交する方向に形成した係合片５９がスライダー表面と平行に折曲して設けられており、一方、右側スライダー５１Ｒの内側縁には、摺動操作部６０を後方へ延設し、また、外側縁の略中央には回転ダンパー部材と噛み合う歯片６１が設けられている。この右側スライダー５１Ｒの摺動操作部６０の後端部には駆動機構（Ｇ）側と係合する係合部６０ａと伝達機構（Ｈ）側を操作する操作ピン６０ｂ及び操作片６０ｃが設けられている。
そして、この左側スライダー５１Ｌと右側スライダー５１Ｒとは、横辺部の内端面において多少のがたを持って連結される。即ち、左側スライダー５１Ｌの内端面に係合孔６２を設け、左側スライダー５１Ｒの内端には係合孔６２より小径の係合突子６３を突設して互いにがたを持って係合している。また両スライダー５１Ｌ，５１Ｒの横辺部及び縦辺部にはそれぞれ、前後方向の長孔６４ａ，６４ｂ，６４ｃが設けられて、シャーシ１の底面１ａに植立されたガイド軸６５ａ，６５ｂ，６５ｃに浮上が防止された状態で前後方向に摺動可能に係合されて、それぞれの中間即ち、縦辺部の前側長孔６４ｂに係合されるのガイド軸６５ｂと後端部のスプリング係止片６６との間に引張りコイルスプリング６７を架張して、両側スライダー５１Ｌ，５１Ｒを常時前方へ摺動付勢させている。なお、図８は両側スライダー５１Ｌ，５１Ｒが後方へ摺動された場合を図示している。
このように構成されるスライダー装置（Ａ−ｃ）にカートリッジホルダー９を組合せることにより、カートリッジローディング・アンローディング機構Ａが構成される。
即ち、カートリッジホルダー９をシャーシ１に上面側から両側のガイドピン３２を両側の案内溝１１に係合して嵌挿し、両側の前後の第１ピン３４ａと第２ピン３４ｂを左右スライダー５１Ｌ，５１Ｒの第１カム片５３ａと第２カム片５３ｂの前半平行カム溝５４ａと５４ｂに係合させると共に、ディスクカートリッジロック装置（Ａ−ｂ）の連動アーム３７の第２係合ピン４９を左側スライダー５１Ｌの係合片５９に形成した係合溝５８に係合するように対応させることによりカートリッジローディング・アンローディング機構Ａが構成される（図９参照）。
このカートリッジホルダー９とスライダー装置（Ａ−ｃ）の組合せにおいて、左側スライダー５１Ｌと右側スライダー５１Ｒとは分離されて、多少のがたを持って連結されていることにより、個別に多少の移動が可能になってカートリッジホルダー９の両側の第１、第２ピンの関係位置に多少のずれが生じていてもそれぞれ左右スライダー５１Ｌ，５１Ｒのカム溝に係合させることができる。
（Ｂ）ディスク回転機構
ディスク回転機構（Ｂ）には、昇降機構（Ｃ）によってディスクカートリッジ２０１に対して接近・離間する方向に移動するスピンドルモータ１０が備えられている。
このスピンドルモータ１０は、図１０に示すように、上方（ディスク装着側）に開口する凹部を有する回転部６８ａ及びスピンドルモータ位置決め部材１５の開口部１５ａの下側周縁に対向するモータ取付部６８ｂとからなるスピンドル保持体６８内に設けられている。
この保持体６８の回転部６８ａの凹部内には光磁気ディスク２０２のチャッキングハブ２０２ａを吸着するマグネット６９が収納されており、このマグネット６９の中央部にはスピンドルモータ１０のスピンドル軸１０ａが挿通する挿通孔６９ａが設けられている。また、この回転部６８ａの凹部の開口周縁には、光磁気ディスク２０２を載置する偏平なディスク載置面（ディスクテーブル面）６８ａ1が形成されている。なお、このディスク載置面６８ａ1の高さ方向位置は、スピンドル軸１０ａの先端より若干低い位置に設定されている。
そして、スピンドル保持体６０のモータ取付部６８ｂには、直径方向に対向して一対にスピンドル昇降用ガイドピン１５ｂが挿通する一対のスピンドル昇降用ガイド孔６８ｂ1が設けられている。
（Ｃ）昇降機構
昇降機構（Ｃ）は、図１０に示すようにシャーシ１の底面１ａとスピンドルモータ位置決め部材１５との間に位置してディスク回転機構（Ｂ）を保持する平面視略矩形状の第１昇降板７０と、この第１昇降板７０を前後方向に回転可能に支持し、ディスクカートリッジ２０１のローディング・アンローディング動作、即ち、前述したスライダー機構（Ａ−ｃ）の前後方向の摺動に伴って昇降する平面視略コ字状の第２昇降板７１とから構成されている。
この昇降機構（Ｃ）の第１昇降板７０にはスピンドル保持体６８の回転部分６８ａが嵌挿され、モータ取付部６８ｂの両スピンドル昇降用ガイド孔６８ｂ1が設けられた部面が臨む開口７２が形成され両側面中央には軸ピン７３が横方向に突設されている。
この第１昇降板７０にスピンドルモータ１０のスピンドル保持体６８を下面側から対応させて開口７２に回転部分６８ａを嵌挿すると共にモータ取付部６８ｂの両スピンドル昇降用ガイド孔６８ｂ1の周囲面部を臨ませた状態でモータ取付部６８ｂの表出しない他の部面において止めねじにより固定する。
一方、第２昇降板７１には前縁寄りの両側上面にディスクカートリッジ２０１を位置決めするカートリッジ位置決めピン７４が植設されており、この位置決めピン７４とほぼ対応して両側片部７１Ｌ，７１Ｒの内側にカムピン７５が横方向に突設され、カムピン７５と平行に両側片部７１Ｌ，７１Ｒの後端部に第１昇降板７０の軸ピン７３が軸支されて、この軸支により第１昇降板７０と第２昇降板７１が互いに軸転可能に連結されている。
この第２昇降板７１のカムピン７５と第１昇降板７０の軸ピン７３とはスライダー装置（Ａ−ｃ）の両側スライダー５１Ｌ，５１Ｒの第３カム片５６ａと第４カム５６ｂの傾斜カム溝５７ａと５７ｂにそれぞれ係合させて、この係合は多少のがたを持つようになっており、この係合により、第１、第２昇降板７０，７１は両側スライダー５１Ｌ，５１Ｒに連結状でシャーシ１の底面１ａ上に配置されて両側スライダー５１Ｌ，５１Ｒの前後方向の摺動により第３、第４カム片５６ａ，５６ｂの傾斜カム溝５７ａに沿って昇降され、第１昇降板７０に固定されスピンドルモータ１０はスピンドル保持体６８の回転部分６８ａがスピンドルモータ位置決め部材１５の開口部１５ａに出没可能に臨むことになる。
また、第２昇降板７１の前端面の一側部（左側部）にはライトプロテクトスイッチ、ディスク種類検出スイッチ等の検出スイッチ７６Ａ，７６Ｂが搭載されている。
（Ｄ）光学ピックアップ装置
光学ピックアップ装置（Ｄ）は、筺体３内のディスク装着部における光磁気ディスク２０２の信号記録面に対してレーザ光を照射し得るように構成されている。この光学ピックアップ装置（Ｄ）は、図１１に示すように、従来の一体型光学系と異なり、高速アクセス化に対応するために可動部分を軽量にした分離光学系とされる。すなわち、この光学ピックアップ装置は、記録再生に用いる光源となるレーザダイオードやフォーカス、トラッキング制御を行うために用いる信号検出器や記録信号を検出する信号検出器等を有する固定光学系８０と、この固定光学系８０からの光ビームを光学磁気ディスク２０２の信号記録面に集光するための対物レンズ８１を有するキャリッジ８２と、このキャリッジ８２の後方に位置しトラッキング制御を行うために用いるガルバノミラー８３とからなり、シャーシ１上に各々分離して設けられている。
この分離光学系は、ガルバノミラー８３が角部となり、かつキャリッジ８２及び固定光学系８０をその両端部とする平面視略Ｌ字状となるように配設されている。
このうちガルバノミラー８３は、固定光学系８０から出射される光ビームを反射させ、この反射光ビームをキャリッジ８２の光学系に導きミラー反射面の角度変化によってトラッキング制御を行うためのものである。
また、キャリッジ８２は、シャーシ１の上方に位置し各々が互いに左右方向に所定の間隔をもって平行する一対のガイド軸８４に進退自在に保持されている。このキャリッジ８２の一方側側面部には二対のベアリング８５が各対の各ベアリング回転軸を互いに９０°となる角度に設定して位置付けられており、他方側側面部には一対のベアリング８５が同じく各ベアリング回転軸を互いに９０°となる角度に設定して位置付けられている（図１２参照）。なお、このキャリッジ８２には、各対のベアリング８５のうち一方のベアリングに各対の両ベアリング回転軸間の角度が９０°より狭くなるような方向に弾発力を付与する弾性体が固定されている。
そして、このキャリッジの８２の両側方には、キャリッジ駆動用のリニアモータ８６が設けられている。なお、このリニアモータ８６は、キャリッジ８２の両側方に突出する枠状のコイル８７と、このコイル８７の一部を介して対向するセンターヨーク８８ａとマグネット８９及びサイドヨーク８８ｂとから構成されている。
さらに、このキャリッジ８２には、対物レンズ８１を保持するレンズホルダー９０が上下方向に並列する２枚の弾性片９１を介して設けられている。このレンズホルダー９０は、磁気回路９２によってフォーカス方向に変位し得るように構成されている。なお、この磁気回路９２は、対物レンズ８１の両側方に突出する枠状のコイル９３と、このコイル９３の一部を介して対向するセンターヨークとマグネット及びサイドヨークとから構成されている。
さらにまた、このキャリッジ８２には、固定光学系８０から対物レンズ８１に光ビームを導くためのビーム通過孔８２ｂが設けられており（図１２参照）、また対物レンズ８１の真下に位置する立ち上げミラー９４が固定されている。
このように構成される光学ピックアップ装置（Ｄ）において、キャリッジ８２に対する対物レンズ８１の取付けは、レンズホルダー９０を支持する上下方向に並列する２枚のりん青銅等の弾性片９１の基端を基板９５に固定し、この基板９５をキャリッジ８２に固定する。
この基板９５には、図１１，図１３に示すように、複数、即ち、後側に３個、前側に１個の透孔９６（９６ａ，９６ｂ，９６ｃ，９６ｄ）が突設され、またキャリッジ８２の基板固定面側には、基板９５の後側の３個の透孔９６（９６ａ，９６ｂ，９６ｃ）に対応して、この透孔９６の径より細い３本のピン９７（９７ａ，９７ｂ，９７ｃ）が植立されており、この３本のピン９７のうち、中央のピン９７ａは両側のピン９７ｂ，９７ｃに比し、太径で短寸に形成されている。
そして、この基板９５をキャリッジ８２に固定するには、図１１に示すようにこの基板固定面に基板９５を透孔９６にピン９７を挿入させて当接する。この状態では、基板９５はキャリッジ８２に対して透孔９６とピン９７との間隙の範囲で移動可能で、この基板９５を移動させながら対物レンズ８１の光軸合せた状態で後側の両側透孔９６ｂ，９６ｃと前側中央の透孔９６ｄに瞬間接着剤を注入して接着して仮固定した後、後側中央の透孔９６ａに紫外線硬化接着剤を注入して紫外線の照射により硬化させることにより、基板９５はキャリッジ８２に接着固定される。この接着固定において、透孔９６ｂ，９６ｃ，９６ｄには瞬間接着剤を注入し、その上に硬化促進剤を注入して瞬間接着剤の硬化を早めている。
このように、キャリッジ８２に対する対物レンズ８１を保持する基板９５の接着固定には二種類の接着剤、即ち、瞬間接着剤と紫外線硬化接着剤を用い、このうち瞬間接着剤は引張り強度が大で、また紫外線硬化接着剤は衝撃に強いため、接着強度が増大して強固に固定されて、基板９５はキャリッジ８２と一体化される。
また、図１３及び図１４に示すように、対物レンズ８１を保持するレンズホルダー９０と基板９５との間の上下２枚の弾性片９１のうち、一方（図示例では上側）の弾性片９１にはコイル９３と接続するフレキシブル配線フィルム９８を接着剤層９９を介して接着してある。この接着剤層９９は、粘性を保持する接着剤、例えばアクリル系接着剤により弾性片９１上に形成するもので、本例においては、弾性片９１の先端は、即ち、レンズホルダー９０側端と基端、即ち、基板９５側端からそれぞれ全長の３分の１の長さ又は３分の１より短い長さで形成してフレキシブル配線フィルム９８を接着してある。なお、フレキシブル配線フィルムはポリイミドフィルム、ポリエチレンテレフタレート（ＰＥＴ）フィルムにより形成される。このように弾性片９１に接着剤層９９によりフレキシブル配線フィルム９８を接着することにより、接着剤層９９が制振剤でフレキシブル配線フィルム９８が拘束板となって、弾性片９８上に制振材層を形成することになり、弾性片９１の一次共振周波数は高く、共振レベルは低く抑えられる。
これにより、対物レンズ８１に対する制振効果が大となり、光磁気ディスク２０２の信号記録面に対して確実に集光することができる。
また、フレキシブル配線フィルム９８の導体パターン９８ａには基板９５の上面側に位置してランド部９８ｂが形成されており、対物レンズ８１のフォーカス方向の補正において、ランド部９８ｂに給電端子を当接することにより導体パターン９８ａに試験用のフォーカス電流を通電するようになっている。
（Ｅ）外部磁界発生装置
外部磁界発生装置（Ｅ）は、図４に示すように、光磁気ディスク２０２の信号記録面に対して所定の外部磁界を印加する磁界印加ヘッドを組み込んでなるスライダー（以下、磁界印加ヘッドという）１００を有し、この磁界印加ヘッド１００はキャリッジ８２の後端部８２ａの上面に上下方向に搖動可能に弾性保持されるヘッドアーム１０１の先端に、光学ピックアップ装置（Ｄ）の対物レンズ８１に上方に対向して保持されている。この外部磁界発生装置（Ｅ）の磁界印加ヘッド１００は、磁界変調オーバーライトに対応できるように浮上型磁気ヘッドによって構成されており、一方ヘッドアーム１０１は、ヘッド浮上時の安定性を確保するために磁界印加ヘッド１００が光磁気ディスク２０２の信号記録面からディスクアンローディング状態において離間する位置と、光磁気ディスク２０２の信号記録面に対して磁界印加ヘッド１００がディスクローディング状態において数グラム〜１０グラム程度の押圧力によって接触する位置に位置するように構成されている。
そして、このヘッドアーム１０１は、リフター機構（Ｆ）により、磁界印加ヘッド１００による光磁気ディスク２０２への磁界印加が可能なローディング位置と、このローディング装置から磁界印加ヘッド１００がディスク回転機構（Ｂ）のディスク載置面６０ｃと反対側に離間するアンローディング位置とにおいて保持し得るように構成されている。
（Ｆ）リフター機構
リフター機構（Ｆ）は、図４及び図１１に示すように、キャリッジ８２の後端部に上下回動可能に取付けられたリフターアーム１１１と、このリフターアーム１１１を上下位置で保持するリフタープレート１１２とから構成されている。リフターアーム１１１は、ヘッドアーム１０１を載置支持する横辺部１１１ａとキャリッジ８２に軸支される縦辺部１１１ｂを有する平面視略Ｌ字状に形成され、縦辺部１１１ｂ後端部にはキャリッジ８２の後端部の側面に対応して軸支される係合プレート１１３が一体に設けられている。この係合プレート１１３には前側下部にキャリッジ８２に軸支する軸ピン１１４が内方へ水平に植設され、後側上部には操作ピン１１５が外方へ水平に植設されており、前縁部には、大径の上段凹部１１６ａと小径の下段凹部１１６ｂが形成され、また、下部には下方へ開放する凹部１１６ｃが形成されている。
このリフターアーム１１１の係合プレート１１３とキャリッジ８２の後端部側面との間にリフタープレート１１２が介装される。このリフタープレート１１２にはバーリング加工（絞り加工）により周縁に突縁１１７ａを形成した大径の軸孔１１７が設けられ、外面側に係合プレート１１３の前縁部の凹部１１６ａ，１１６ｂに係合される短寸の係合ピン１１８とこの係合ピン１１８から離隔して長寸の操作ピン１１９が突設されている。このうち、短寸の係合ピン１１８は、係合プレート１１３の下段凹部１１６ｂの径とほぼ同径に形成されている。
このリフタープレート１１２は、キャリッジ８２の後端部側面にカム軸１２０により軸支される。このカム軸１２０は軸部１２０ａの一端部側にリフタープレート１１２の軸孔１１７とほぼ同径で嵌挿される偏心カム部１２０ｂを設けて形成されており、また、軸部１２０ａのほぼ中央部の周面には所定幅で細い軸方向溝（スプライン溝）、ローレット等により粗面部１２０ｃが形成されている。
このカム軸１２０をキャリッジ８２の後端部側面に移動方向に対して直交する方向に形成された軸孔１２１に、偏心カム部１２０ｂを側面に突出するように挿入して軸支し、この状態でリフタープレート１１２を後端部側面に、軸孔１１７を偏心カム部１２０ｂに嵌挿して回動可能に対応して配設する。このリフタープレート１１２の軸孔１１７の外周突縁１１７ａに捩りコイルスプリング１２２のコイル部を嵌挿しておく。
そして、リフターアーム１１１の係合プレート１１３をキャリッジ８２の後端部側面にリフタープレート１１２の外面側から対応させて軸ピン１１４を軸孔１２１から離隔して穿設された軸孔１２３に挿入して軸支し、前縁部の凹部１１６ａ又は１１６ｂをリフタープレート１１２の係合ピン１１８に係合すると共に下部の凹部１１６ｃをカム軸１２０の外端部に跨ぐように対応させて、カム軸１２０の外端に嵌着される止め輪１２４により、抜止め保持する。この状態で係合プレート１１３側の操作ピン１１５とリフタープレート１１２側の操作ピン１１９は間隔を置いて平行に対応され、この係合プレート１１３とリフタープレート１１２には捩りコイルスプリング１２２の両端部を係合させて両プレート１１３と１１２を互いに相反する方向に付勢させて両操作ピン１１５と１１９は常時互いに離間するように偏倚されている。
そして、カム軸１２０を回転操作することによりリフタープレート１１２の位置が変化し、これにより、係合ピン１１８のリフターアーム１１１の係合プレート１１３に対する押圧状態が変る。このためリフターアーム１１１の角度が変ることになってヘッドアーム１０１の搖動角度が調節され、光磁気ディスク２０２に対する磁界印加ヘッド１００の上下位置が調節されることになる。この状態でキャリッジ８２にカム軸１２０の挿通部に対応して係止片１２５を取付けてカム軸１２０の粗面部１２０ｃに係合させてカム軸１２０をキャリッジ８２に対して固定する。
（Ｇ）駆動機構
駆動機構（Ｇ）は、図４に示すように後述する伝達機器（Ｈ）によるリフター機構（Ｆ）のロック状態を解除するための駆動源及び筺体３外にディスクカートリッジ２０１を排出するための駆動源となる駆動モータ１３０と、この駆動モータ１３０に連結されキャリッジ８２の移動方向と直角な方向に突出する円柱状のピン１３１を外側面の周縁に有する伝達ギア１３２とからなり、このうち伝達ギア１３２が図１５に矢印Ｒ1で示す方向に回動することによりピン１３１を固定位置（規準位置）ａから固定位置ｂに向かって移動操作し前述したスライダー装置（Ａ−ｃ）をローディング位置からアンローディング位置に引き戻し、また伝達ギア１３２が同図に矢印Ｒ2で示す方向に回動することによりピン１３１を固定位置ａから固定位置ｂに向かって移動操作し後述する伝達機構（Ｈ）を介してリフター機構（Ｆ）に動作力を付与し得るように構成されている。
これにより、伝達ギア１３２が図１５に矢印Ｒ1で示す方向に回動し、ピン１３１が固定位置ａから固定位置ｂに向かって変位すると、このピン１３１がスライダー装置（Ａ−ｃ）の右側スライダー５１Ｒの摺動操作部６０の係合部６０ａに係合して後方へ押圧し、これによりスライダー装置（Ａ−ｃ）が前方へ付勢力に抗して後方へ摺動されてディスクカートリッジ２０１の排出動作が行われる。また、伝達ギア１３２が図１５に矢印Ｒ2で示す方向に回動し、ピン１３１が固定位置ａから固定位置ｂに向かって変位すると、伝達機構（Ｈ）の駆動によってリフター機構（Ｆ）が動作され、キャリッジ３７がディスク最外周位置にある場合には磁界印加ヘッド１００の光磁気ディスク２０２に対するローディングが行われる。
（Ｈ）伝達機構
伝達機構（Ｈ）は、図１６〜図１９に示すように互いに前後対向する軸受片１４０を設けた天井板部１４１と、この天井板部１４１に連続する側壁板部１４２とこの側壁板部１４２に連続し天井板部１４１と上下に対向する底面板部１４３を有するベース１４４と、天井板部１４１に横向き、即ち、キャリッジ３８の側面側に対向して上下方向に回転可能に軸支されてキャリッジ３８を係止するロックプレート１４５と、このロックプレート１４５の下面側で同軸に軸支された動作プレート１４６と、側壁板部１４２に軸支されて底面板部１４３に対して後方へ向けて上下方向に回動されてリフター機構（Ｆ）を操作する操作レバー１４７と、側壁板部１４２の外面側に前後方向に摺動可能に取付けられて駆動機構（Ｇ）により摺動動作され、動作プレート１４６及びリフトレバー１４７を動作させるスライドプレート１４８と、底面板部１４３の後部に配設され、スライドプレート１４８をリフトレバー１４７の作動状態でロック保持する自己保持型の電極クラッチ１４９と、この電磁クラッチ１４９により自己保持動作されるロックアーム１５０と、このロックアーム１５０の自己保持を手動により解除操作するロック解除プレート１５１等から構成される。
この伝達機構（Ｈ）のベース１４４の天井板部１４１の両軸受片１４０には前後対向して軸孔１４０ａが穿設され、側壁板部１４２には前後方向のガイド長孔１５２が設けられている。
また、ベース１４４の天井板部１４１側に軸支されるロックプレート１４５には、天井板部１４１の両軸受片１４０に内側から対向する支持面部１５３が下向きに折曲形成されて軸孔１５４が穿設され、キャリッジ８２と対向する側には、キャリッジ８２の移動範囲に対応し、リフター機構（Ｆ）のリフターアーム１１１の操作ピン１１５に係合する櫛状歯１５５ａを先端に有する係合面部１５５が下向きに折曲して設けられており、また、この係合面部１５５と相対する側にとは下方に突出するカム面部１５６が設けられている。このロックプレート１４５の上面には戻し板ばね１５７が取付けられ、その自由端１５７ａ側は上方へ弾性偏倚されている。
一方、動作プレート１４６にはロックプレート１４５の両支持面部１５３に内側から対向する対接面部１５８が下向きに設けられて軸孔１５４に相対して軸孔１５８ａを有する軸受部面１５８ｂが切起し状に立上げ形成されており、外側縁部、即ち、リフター機構（Ｆ）のリフターアーム１１１の操作ピン１１５に上側から対向して押圧する動作面部１４６ａと相対する側には、下向きに摺動面部１５９が設けられて、この摺接面部１５９の下縁が摺接面１５９ａとして形成され、この摺接面１５９ａの後方寄りに下方に突出する凸状カム部１５９ｂが連続して形成されている。
このロックプレート１４５と動作プレート１４６とを上下に重ね合せて支持面部１５３の内側に対接面部１５７を対接すると共に軸孔１５４と１５８ａを連通させた状態でベース１４４の天井板部１４１の軸受片１４０間に嵌挿して軸孔１４０ａに軸孔１５４，１５８ａを連通させて支点軸１６０を挿通して軸支する。この状態で戻し板ばね１５７の自由端１５７ａが天井板部１４１の下面に圧接され、この戻し板ばね１５７の弾性偏倚カムよりロックプレート１４５は支点軸１６０を中心として係合面部１５５側が常時上方へ位置するように回転付勢されている。
また、支点軸１６０の一方（後側）の軸受片１４０から突出される端部１６０ａには捩りコイルスプリング１６１が嵌挿されて一端１６１ａが側壁板部１４２の後縁側に突設されたスプリング係止片１４２ａに係止され、他端１６１ｂが動作プレート１４６の一方（後側）の対接面部１５８の下縁に動作面部１４６ａ側において係止されて、動作プレート１４６を動作面部１４６ａ側が常時上方へ位置されるように回転付勢させてある。
スライドプレート１４８は、ベース１４４の側壁板部１４２に対向する垂直面部１４８ａと底面板部１４３に対向する水平面部１４８ｂとからなる断面略Ｌ字状に形成され、垂直面部１４８ａには内面側にガイド軸１６２が水平に突設される。このガイド軸１６２は側壁板部１４２のガイド長孔１５２に挿通されて動作プレート１４６の摺接面部１５９の下縁摺接面１５９ｂに摺接される。また、この垂直面部１４８ａの前端には前方へ延在して駆動機構（Ｇ）により押圧される押圧片部１６３が設けられ、後端部の上側にはロックアーム１５０に自己保持状態で係止されるスライダーロック１６４が固定されている。このスライダーロック１６４には下側が開放され前半部が外方へ傾斜する前後方向のガイド溝１６４ａが形成されてこのガイド溝１６４ａの外側縁部の前端面１６４ｂが係止面部となっている。
一方、スライドプレート１４８の水平面部１４８ｂには、前端内側部にリフトレバー１４７を押上げ操作する操作片１６５を立上げ形成してベース１４１の底面板部１４３に形成された前後方向のガイド長孔１４３ａから突出してリフトレバー１４７の下側に臨むようになっており、またこの水平面部１４８ｂには前半部と後半部に前後方向に長いガイド長孔１６６が形成されて底面板部１４３の下面に突設されたガイドピン１６７に係合され、さらにこの水平面部１４８ｂの後端内側にスプリング係止片１６８を下方に折曲形成して引張りコイルスプリング１６９を底面板部１４３の前端に折曲形成されたスプリング係止片１４３ｃとの間に架張してスライドプレート１４８をベース１４１に対して常時前方へ摺動付勢させている。この状態でガイド軸１６２は動作プレート１４６の摺接面部１５９の摺接面１５９ａに凸状カム部１５９ｂより前側において摺接されている。
リフトレバー１４７は、平面視略Ｌ字状に形成され垂直辺部がアーム部１４７ａで、その先端部においてベース１４１の側壁板部１４２、詳しくは底面板部１４３の前端外側部に立上げ形成された軸受片部１４３ｂに上下方向に回転可能に軸ピン１７０により軸支されており、水平辺部は平面視略四辺形状に形成された、リフター機構（Ｆ）のリフタープレート１１２の操作ピン１１９に下側から対向して押上げる押上げ面部１４７ｂである。この押上げ面部１４７ｂはリフトレバー１４７の上方への回転時に後半部面１４７ｂ1が上方へ回転時に水平面となり、前半部面１４７ｂ2が下方へ回転時に水平面となるように形成されている。また、このリフトレバー１４７の後端（自由端）側の下面には脚片１７１が突設されており、この脚片１７１にスライドプレート１４８の前述した操作片１６５が前後方向に対向され、このスライドプレート１４８の後方への摺動時に操作片１６５が乗上げるように摺接してリフトレバー１４７を軸ピン１７０中心に上方へ回転させる。
そして、このリフトレバー１４７の上面側には戻し板ばね１７２が取付けられて、その自由端部１７２ａはアーム部１４７ａより前方へ延在されて他の部材に押当てられ、リフトレバー１４７を常時下方へ回転付勢するようになっている。電磁クラッチ１４９により自己保持されるロックアーム１５０は平面視略Ｌ字状に形成され、折曲角部において軸１７３によりベース１４１の底面板部１４３上に軸支してあり、垂直部１５０ａの先端には前述したスライダーロック１６４に係合するロックピン１７４が植設されており、水平部１５０ｂには電磁クラッチ１４９に吸着可能な鉄等の磁性片１７５が取付けられている。
そして、電磁クラッチ１４９は、ベース１４１の底面板部１４３の後部面に固定され、前述した磁性片１７５を非通電時に吸着し、通電時に吸着を解除するように構成されており、非通電時にスライドプレート１４８が後方へ摺動した状態においてロックアーム１５０の磁性片１７５を吸着してロックアーム１５０を回転状態で保持し、ロックピン１７４をスライドプレート１４８のスライダーロック１６４に係合させてスライドプレート１４８をロック保持する。通電時に磁性片１７４の吸着を解除してこの反発動作によりロックアーム１５０が反対方向に回転されてスライドプレート１４８のロックを解除し、スライドプレート１４８は引張りコイルスプリング１６９の偏倚力により前方へ復帰摺動される。
ロック解除プレート１５１は、ベース１４１の側壁板部１４２にその内面に沿って前後方向に摺動されるように取付けられ、スライドプレート１４８に取付けられて底面板部１４３の上方に臨む前述したスライダーロック１６４と側壁板部１４２の間に、前述したスライダー装置（Ａ−ｃ）の後方への摺動により、摺動操作片６０の操作片６０ｃにより押圧されて挿入されてロックアーム１５０のロックを解除操作するもので、側壁板部１４２と平行の側面部１５１ａに前後方向に長いガイド長孔１７６が形成されて側壁板部１４２に水平に突設されたガイドピン１７７に係合され、この側面部１５１ａの下縁から水平に下面部１５１ｂが設けられて、この下面部１５１ｂの後部内側にロック解除部１５１ｂ1が形成されており、この側面部１５１ａの前端部には前述したスライダー装置（Ａ−ｃ）の後端操作片６０ｃに係合される係合部１７８が形成され、前半上縁から水平に上面部１５１ｃが設けられて、この上面部１５１ｃの後端にスプリング係止片１７９が下側に折曲して形成されている。
そして、このロック解除プレート１５１のスプリング係止片１７９とベース１４１の前側軸受片１４０の下縁に突設されたスプリング係止片１８０との間に引張りコイルスプリング１８１を架張して、このロック解除プレート１５１を常時前方へ摺動付勢させてある。
また、ベース１４４の側壁板部１４２の後端部には取付板１８２によりスライドプレート１４８の後方への摺動を検出するセンサー１８３が固定されており、このセンサー１８３はホトインターラクターが用いられ、このセンサー１８３に対応してスライドプレート１４８の垂直面部１４８ａの後端に検出部材として遮光板１８４が取付けられている。
（動作の説明）
以上のように構成される光磁気ディスク装置の動作について図２２〜図３１を参照して説明する。
先ず、動作前の状態、即ち、ディスクカートリッジ２０１を装填しない状態では、スライダー装置（Ａ−ｃ）の両側スライダー５１Ｌ，５１Ｒが後方へ摺動された状態で、カートリッジホルダー９に備えられたディスクカートリッジロック装置（Ａ−ｂ）によりロックされ、カートリッジホルダー９は上昇位置にある。
即ち、ディスクカートリッジロック装置（Ａ−ｂ）は、スライドベース３５が前方へ摺動位置されてロックアーム３６がカートリッジホルダー９の後部内に臨んだ状態でトーションスプリング４６により外方へ回転偏倚されてカム溝４４の係合部４４ａにおいてカートリッジホルダー９に突設された係合ピン４５に係合されている。この状態で連動アーム３７はカートリッジホルダー９に軸支されて第１係合ピン４８がスライドベース３５に係合されており、この連動アーム３７の第２係合ピン４９が左側スライダー５１Ｌの係合溝５８に係合されて（図２３参照）両側スライダー５１Ｌ，５１Ｒが引張りコイルスプリング６７の付勢力に抗して後方へ摺動された状態でロックされている。これにより、図９に示すようにカートリッジホルダー９は、両側の第１、第２ピン３４ａ，３４ｂに両側スライダー５１Ｌ，５１Ｒ側の高位置の第１、第２平行カム溝５４ａ，５４ｂが係合されて上昇位置に保持されている。
また、この状態で昇降機構（Ｃ）の第１、第２昇降板７０，７１は、両側のカムピン７５、軸ピン７３に両側スライダー５１Ｌ，５１Ｒの第３、第４の傾斜カム溝５７ａ，５７ｂの低位部が対応して下降されており、これにより第１昇降板７０に取付けられているスピンドルモータ１０も下降されてスピンドル操作体６８の固定部６８ａはスピンドルモータ位置決め部材１５の開口部１５ａ内に没入されている。また、第２昇降板７１に植設されているカートリッジ位置決めピン７４もカートリッジホルダー９より下方に位置されている（図９参照）。
このようにしてカートリッジホルダー９は、前面パネル４のカートリッジ挿抜口５と連通状態で保持されている。
一方、伝達機構（Ｈ）のロックプレート１４５は、そのカム面部１５６の下縁面に、スライダー装置（Ａ−ｃ）の後方摺動により、摺動操作部６０の操作ピン６０ｂが摺動することにより係合面部１５５側を下向きにして回動させて櫛状歯１５５ａがリフター機構（Ｆ）のリフターアーム１１１の操作ピン１１５に下方へ押圧状態で係合している。
これによりリフター機構（Ｆ）のリフターアーム１１１は、光学ピックアップ装置（Ｄ）のキャリッジ８２に対して係合プレート１１３の軸ピン１１４を中心として上方へ上段凹部１１６ａの上縁がリフタープレート１１２の係合ピン１１８に係合されるまで回動され、その横辺部１１１ａにより、外部磁界発生装置（Ｅ）のヘッドアーム１０１を扛上させて磁界印加ヘッド１００を最上方の位置、即ち図２９に示すように光磁気ディスク２０２から大きく離隔した位置に保持させている。また、この状態でキャリッジ８２はリフターアーム１１１を介してロックされ、不用意な移動、がたつきが防止される状態にある。
そこで、前面パネル４のカートリッジ挿抜口５から筺体３内のカートリッジホルダー９にディスクカートリッジ２０１を挿入すると、前面部２０９にカートリッジホルダー９に備えたシャッタ開放装置（Ａ−ａ）のシャッタ開放ピン２３が当接し、図２２に示すようにシャッタ部材２１１の摺動案内部材２１４の先端に係合される。
さらに、ディスクカートリッジ２０１を図２３に示すようにカートリッジホルダー９内に挿入すると、ディスクカートリッジ２０１の押圧によってシャッタ開放ピン２３がカム溝２２の傾斜部２２ａに沿って移動する。このとき、シャッタ開放ピン支持部材２４は、引張りコイルスプリング２６の弾発力に抗してガイドピン２５に対するガイド溝２４ｃの係合位置を変えながらカム溝２２の傾斜溝２２ａに沿って回動する。
この結果、シャッタ部材２１１は、カートリッジ２０３内の捩りコイルスプリング（図示せず）による付勢力に抗して図２３に矢印０で示す方向、即ち、ディスクカートリッジ２０１の開口部２０６，２１６を開放する方向に摺動する。
そして、ディスクカートリッジ２０１をカートリッジホルダー９内にさらに挿入すると、カム溝２２の円弧状部２２ｂに沿って直線部２２ｃの方向にシャッタ開放ピン２３が移動し、シャッタ部材２１１がディスクカートリッジ２０１の開口部２０６，２１６を開放する方向に摺動する。
このようにしてディスクカートリッジ２０１が押圧挿入され、シャッタ開放ピン２３が円弧状部２２ｂの後端部位置に到達すると、図２４に示すようにカートリッジ２０３のシャッタ開放部材嵌入部２２４に入り込む。
一方、ディスクカートリッジ２０１は押圧挿入により、カートリッジ２０３の下ハーフ２０５側のほぼ前半部に形成された誤挿入防止溝２０７ａ，２０８ａがカートリッジホルダー９の両側面中央部のやや後方寄りの下半部に内方へ折り曲げ形成された係止爪片２９に対応され、ディスクカートリッジ２０１は誤挿入防止溝２０７ａ，２０８ａが係止爪片２９に沿う状態でカートリッジホルダー９に対して挿入が継続される。
この際、このディスクカートリッジ２０１と異なるディスクカートリッジがカートリッジホルダー９に挿入されたときは、係止爪片２９によってそれ以上の挿入が防止される。即ち、類似形状のディスクカートリッジの誤挿入防止がカートリッジホルダー９側に係止爪片２９等の突部を形成するだけで行える。
この結果、ディスクカートリッジ２０１の開口部２０６，２１６が全開し、そして、ディスクカートリッジ２０１をカートリッジホルダー内にさらに挿入すると、ディスクカートリッジ２０１の前面部２０９がロックアーム３６のトリガーピン４２に当接する。
さらに、ディスクカートリッジ２０１をカートリッジホルダー９内に挿入移動させると、シャッタ開放ピン２３がカム溝２２の直線部２２ｃに沿ってカートリッジ挿入方向に移動すると共に、シャッタ開放ピン支持部材２４が引張りコイルスプリング２６の弾発力に抗して後方へ回動する。
そして、ディスクカートリッジ２０１をさらに挿入すると、図２４に示すようにロックアーム３６がトリガーピン４２を介してスライドベース３５と共に後方へ移動し、このロックアーム３６の摺動により、カム溝４４の係合部４４ａがカートリッジホルダー９側に突設された係合ピン４５から外れるとロックアーム３６は回動されてカートリッジホールドピン４３がディスクカートリッジ２０１の一側部、即ち、一方の誤挿入防止溝２０７ａ側のピン嵌入用孔２２８に嵌入係合し、ディスクカートリッジ２０１が保持されて最終的にカートリッジ挿入位置規制片２７にシャッタ部材２１１が当接し、ディスクカートリッジ２０１の装着位置が決定する。この状態でシャッタ開放ピン支持部材２４は後方へ大きく回動位置される。
なお、この場合のロックアーム３６の回動は、カートリッジホールドピン４３がディスクカートリッジ２０１のピン嵌入用孔２２８に対して嵌入、抜脱する範囲で回動することになるが、ピン嵌入用孔２２８はディスクカートリッジ２０１の誤挿入防止溝２０７ａの側面に形成されているため、カートリッジホールドピン４３は抜脱状態においてもカートリッジ２０３の幅よりほとんど飛び出さない部位に位置されることになり、これによりディスク装置の幅を削減できて装置の小型化が可能になる。
この動作と共にスライドベース３５の摺動により連動アーム３７が回動されて第２係合ピン４９がスライダー装置（Ａ−ｃ）の左側スライダー５１Ｌ側の係合溝５８が外される。
これによりスライダー装置（Ａ−ｃ）のロックが解除されて両側スライダー５１Ｌ，５１Ｒは引張りコイルスプリング６７の付勢力により前方へ摺動される。この両側スライダー５１Ｌ，５１Ｒの前方への摺動により、カートリッジホルダー９は、両側の第１、第２ピン３４ａ，３４ｂに両側スライダー５１Ｌ，５１Ｒ側の低位置の後半平行カム溝５５ａ，５５ｂが係合して下降位置に保持される。
この状態でカートリッジホルダー９に挿入保持されているディスクカートリッジ２０１は、シャーシ１に設けられた規準支持部１２上に載置されると共にカートリッジホルダー９に取付けられた押圧ばね片３１によって下方に押圧されて規準支持部１２に押し付けられ、所定の高さ方向位置に保持される。
また、昇降機構（Ｃ）の第１、第２昇降板７０，７１は、両側のカムピン７５、軸ピン７３に対して両側スライダー５１Ｌ，５１Ｒの第３、第４の傾斜カム溝５７ａ，５７ｂが高位方向に対応することになって上昇される。
この結果、第２昇降板７１に植設されたカートリッジ位置決めピン７４がカートリッジ２０３のカートリッジ位置決めピン係合孔２２５，２２６内に嵌入し、ディスクカートリッジ２０１が位置決めされる。
また、この状態でカートリッジ２０３の下ハーフ２０５の中心円形開口部２０６ｂの周面がスピンドルモータ位置決め部材１５の上面に対応して円形開口部２０６ｂと矩形開口部２０６ａとの間の連結面２０５ａが支持突面１５ｃに当接すると共に他の部面が支持突面１５ｄに当接される。
この動作と共に第１昇降板７０に取付けられているスピンドルモータ１０も上昇されてスピンドル保持体６８の回転部６８ａがスピンドルモータ位置決め部材１５の開口部１５ａから突出されて所定の高さ位置に保持される。
これにより、カートリッジ２０３の下ハーフ２０５の円形開口部２０６ｂ内にスピンドル保持体６８の回転部６８ａが入り込みその周縁のディスク載置面６８ａ1が光磁気ディスク２０２のチャッキングハブ２０２ａに当接すると共に中心孔にスピンドル軸１０ａが挿入して光磁気ディスク２０２のスピンドルモータ１０に対するチャッキングが行われる。
このようにして、光磁気ディスク装置に対する光磁気ディスク２０２の装着が行われる。
このようにして、ディスクカートリッジ２０１がローディングされ、光磁気ディスク２０２がスピンドルモータ１０に対するチャッキングが完了した状態で光学ピックアップ装置（Ｄ）のロックが解除される。
即ち、スライダー装置（Ａ−ｃ）の前方摺動により、摺動操作部６０の操作ピン６０ｂが伝達機構（Ｈ）のロックプレート１４５のカム面部１５６から離隔し、このためロックプレート１４５は戻し板ばね１５７によって復帰回動されて係合面部１５５側は上動され、櫛状歯１５５ａがリフター機構（Ｆ）のリフターアーム１１１の操作ピン１１５から離隔し、これによりキャリッジ８２のロックが解除される。
この状態ではリフター機構（Ｆ）は図３０に示すようにリフターアーム１１１は捩りコイルスプリング１２２の弾発力により係合プレート１１３の上段凹部１１６ａの下縁がリフタープレート１１２の係合ピン１１８に係合されるまで回動されて、ヘッドアーム１０１の扛上高さが低下し、このため磁界印加ヘッド１００は光磁気ディスク２０２の表面から僅かに浮上がった離隔状態で保持される。
そして、光磁気ディスク２０２が検出スイッチ７６Ａ又は７６ＢによりＲＯＭ（読み出し専用）ディスクであることが検出された場合は、記録用の磁界印加ヘッド１００は使用されないため、図３０に示す磁界印加ヘッド１００が光磁気ディスク２０２の表面から浮上した状態で光学ピックアップ装置（Ｄ）が作動操作すると共に、スピンドルモータ１０を回転操作してフォーカスイン後に通常の読み出しシーケンスが行われる。
一方、検出スイッチ７６Ａ又は７６ＢによってＲＡＭディスクが検出されると、次のように光磁気ディスク２０２に対する磁界印加ヘッド１００のローディング動作が行われる。
即ち、ＲＡＭディスクが検出されると、コイル８７に駆動電流を加え、キャリッジ８２を光磁気ディスク２０２の半径方向における特定の位置に駆動させる。次に駆動機構（Ｇ）の駆動モータ１３０が伝達ギア１３２を図１５に矢印Ｒ2で示す方向に回動するように駆動され、この伝達ギア１３２の矢印Ｒ2方向の回動によりピン１３１が伝達機構（Ｈ）のスライドプレート１４８を、その押圧片部１６３を押圧して後方へ摺動させる。
このスライドプレート１４８の後方への摺動により、操作片１６５がリフトレバー１４７を、その下面の脚片１７１に乗上げるように摺接して上方へ回転させる。このソフトレバー１４７の回転により押上げ面部１４７ｂがリフター機構（Ｆ）のリフタープレート１１２の操作ピン１１９を押上げてリフタープレート１１２を捩りコイルスプリング１２２の弾発力に抗して回動させて係合ピン１１８をリフターアーム１１１の係合プレート１１３の下段凹部１１６ｂに係合させる。この結果、リフターアーム１１１は図３１に示すように係合プレート１１３の軸ピン１１４を中心に下方へ回動されて、その横辺部１１１ａがヘッドアーム１０１の下面側から離隔する状態になって、ヘッドアーム１０１は下動し、磁界印加ヘッド１００が光磁気ディスク２０２の表面に当接される。そして、リフターアーム１１１は係合ピン１１８が下段凹部１１６ｂに係合保持されることによって、磁界ヘッド１００のディスク２０２との接触が保持される。
この動作において、スライドプレート１４８が後方へ摺動されるとスライダーロック１６４のガイド溝１６４ａがロックアーム１５０のロックピン１７４に嵌挿して通過することによりロックアーム１５０を回動させてこの状態で電磁クラッチ１４９に磁性片１７５を介して電磁クラッチ１４９に吸着させて保持させる。
この状態で、スライダーロック１６４の係止面部１６４ｂがロックアーム１５０のロックピン１７４に係合してスライドプレート１４８が後方への摺動状態でロックされる。
これにより、リフトレバー１４７は上方へ回転状態で保持される。そして、駆動モータ１３０を反転させることにより伝達ギア１３２にピン１３１が図１５に示す定位置ａに変位するまで矢印Ｒ1で示す方向の回転力を付与してから回転を停止させる。
このようにして、前述のように磁界印加ヘッド１００のローディング動作が行われる。
この後、キャリッジ８３を光磁気ディスク２０２の半径方向に移送操作すると共に、スピンドルモータ１０を回転操作してフォーカスイン後に通常の読み出し／書き込みシーケンスが行われる。
次に、光磁気ディスク装置における磁界印加ヘッドのアンローディング動作について説明する。
先ず、ホストコンピュータ等からのイジェクト命令によってスピンドルモータ１０を停止する。
次に、電磁クラッチ１４９に開放パルス電圧を印加する。これにより、ロックアーム１５０は吸着が解除されて回動可能になり、このためスライドプレート１４８は、ロック解除状態になって引張りコイルスプリング１６９の偏倚力により復帰摺動される。
このスライドプレート１４８の復帰摺動によりリフトレバー１４７は下動復帰されてリフタープレート１１２の操作ピン１１９の押上げを解除すると共に動作プレート１４６は、凸状カム部１５９ｂにスライドプレート１４８のガイド軸１６２が摺接することにより動作面部１４６ａ側が下降することにより回動されてリフターアーム１１１の操作ピン１１５を上側から押すことになる。これによりリフター機構（Ｆ）のリフターアーム１１１は、光学ピックアップ装置（Ｄ）のキャリッジ８２に対して係合プレート１１３の軸ピン１１４を中心として上方へ上段凹部１１６ａの上縁がリフタープレート１１２の係合ピン１１８に係合されるまで回動され、その横辺部１１１ａにより、外部磁界発生装置（Ｅ）のヘッドアーム１０１を扛上させて磁界印加ヘッド１００を最上方の位置、即ち図２９に示すように光磁気ディスク２０２から大きく離隔した位置に保持させている。また、この状態でキャリッジ８２はリフターアーム１１１を介してロックされ、不用意な移動、がたつきが防止される状態にある。
そして、駆動モータ１３０によって伝達ギア１３２を図１４に示すようにピン１３１が固定位置ａから固定位置ｂに変位するまで矢印Ｒ1で示す方向の回転力（反転力）を付与する。このとき、伝達ギア１３２の回転によりピン１３１がスライダー装置（Ａ−ｃ）の右側スライダー５１Ｒの摺動操作部６０の係合部６０ａに係合して後方へ押圧する。これによって両側スライダー５１Ｌ，５１Ｒは引張りコイルスプリング６７の付勢弾発力に抗してローディング位置からアンローディング位置に引き戻され、摺動操作部６０の操作ピン６０ｂが、ロックプレート１４５のカム面部１５６の下縁面に摺接してこのロックプレート１４５を係合面部１５５側が下がるように回動させる。
この結果、ロックプレート１４５の櫛状歯１５５ａがリフターアーム１１１の操作ピン１１５に係合して下方へ押圧し、図２９に示すようにリフターアーム１１１をさらに上方に回動させて、磁界印加ヘッド１００を光磁気ディスク２０２から離隔させると共にキャリッジ８２をロックする。
このように、スライダー装置（Ａ−ｃ）の両側スライダー５１Ｒ，５１Ｌがアンローディング位置に引き戻されることにより、前述したローディング動作と逆動作によりカートリッジホルダー９が上昇されると共に第１、第２昇降板７０，７１が下降されてスピンドルモータ１０が光磁気ディスク２０２のチャッキングハブ２０２ａから離れて下降しスピンドルモータ位置決め部材１５内に没入される。この際、ディスクカートリッジ２０１の下ハーフ２０５の中心円形開口部２０６ｂの周面がスピンドルモータ位置決め部材１５の上面の支持突面１５ｃ，１５ｄに当接して押えられ、特に肉薄部である連結面２０５ａが幅広の支持突面１５ｃにより押えられるためカートリッジ２０３の変形、破損等が防止されることになる。
また、ディスクカートリッジ２０１は規準支持部１２上への押し付けが解除されると共にカートリッジ位置決めピン係合孔２２５，２２６からカートリッジ位置決めピン７４が抜脱される。
そして、このスライダー位置（Ａ−ｃ）の引き戻し摺動により、カートリッジホルダー９に軸支された連動アーム３７は第２係合ピン４９が左側スライダ５１Ｌ側の係合溝５８に係合されることにより回動されてスライドベース３５を前方へ摺動させる。
これによりロックアーム３６が回動されてカートリッジホールドピン４３がディスクカートリッジ２０１のピン嵌入用孔２２８から外される。
これにより、ディスクカートリッジ２０１はカートリッジホルダー９に対して移動可能な状態になり、シャッタ開放ピン支持部材２４の引張りコイルスプリング２６による復帰付勢力によりシャッタ開放ピン２３を介してカートリッジ排出方向に押圧されて移動する。
そして、ディスクカートリッジ２０１がカートリッジ排出方向にさらに移動すると、シャッタ開放ピン２３がカム溝２２の円弧状部２２ｂを通過し、傾斜溝２２ａに沿って移動する。
このとき、シャッタ部材２１１は、カートリッジ２０３内のトーションスプリング（図示せず）の弾発力によってディスクカートリッジ２０１の開口部２０６，２１６を閉塞する方向に移動する。
さらに、ディスクカートリッジ２０１がカートリッジ排出方向に移動すると、図２１に示すようにディスクカートリッジ２０１の前面部２０９からシャッタ開放ピン２３が離間し、ディスクカートリッジ２０１のほぼ後半部がカートリッジホルダー９外に排出される。このようにして、光磁気ディスク装置からのディスクカートリッジ２０１の装着解除が行われる。
また、光磁気ディスク２０２の読み出し／書き込み動作中に停電により電源が遮断されて動作が停止した場合、通電を待つことなくディスクカートリッジ２０１を取出すには、前面パネル４側からピン状の操作工具を挿入してスライダー装置（Ａ−ｃ）の一方のスライダー側、本例においては右側スライダー５１Ｒ側を突押して、スライダー装置（Ａ−ｃ）を引張りコイルスプリング６７の付勢弾発力に抗して、後方、即ち、アンローディング位置方向に摺動させる。
これにより、摺動操作部６０の操作片６０ｃが、伝達機構（Ｈ）のロック解除プレート１５１の係合部１７８に突当り、ロック解除プレート１５１は後方へ押圧摺動される。
このロック解除プレート１５１の後方への摺動により、下面部１５１ｂの後部内側のロック解除部１５１ｂ1が、電磁クラッチ１４９に吸着保持されているロックアーム１５０のロックピン１７４が植設されている垂直部１５０ａに外側面側から突当り、これによりロックアーム１５０は磁性片１７５が取付けられている水平部１５０ｂが電磁クラッチ１４９から離れるように押圧されて回動される。
このロックアーム１５０の回動によりロックピン１７４が、スライドプレート１４８のスライダーロック１６４の係止面部１６４ｂ側からガイド溝１６４ａに移動対応し、これによりスライドプレート１４８のロックが解除される。
このため、スライドプレート１４８は、前述した電磁クラッチ１４９に開放パルス電圧が印加されてロック解除された場合と同様に、引張りコイルスプリング１６９の偏倚力により復帰摺動される。
このスライドプレート１４８の復帰摺動によりリフトレバー１４７が下動されてリフタープレート１１２の操作ピン１１９の押上げを解除すると共に動作プレート１４６は凸状カム部１５９ｂにスライドプレート１４８のガイド軸１６２が摺接して動作面部１４６ａが下降するように回動されてリフターアーム１１１の操作ピン１１５を上側から押圧する。
これにより、リフターアーム１１１が上方に回動されて磁界印加ヘッド１００が光磁気ディスク２０２が離間される。この状態でスライダー装置（Ａ−ｃ）をさらに押圧して後方へ摺動することにより前述したアンローディング動作と同様に動作してディスクカートリッジ２０１が排出され、取出すことができる。
このように本例光磁気ディスク装置は、停電或いは故障発生による緊急時に光磁気ディスク２０２及び磁界印加ヘッド１００に支障を与えることなく、手動によりディスクカートリッジ２０１を取出すことができる。
次に、図３２から図３４を参照してカートリッジホルダーの他の実施例を説明するに、前述したカートリッジホルダー９と同様に構成される部分は同一符号を付して説明は省略する。
本例のカートリッジホルダー９は前述したカートリッジホルダー９の両側面に形成したカートリッジ誤挿入防止手段としての係止片２９，２９の一方の係止爪片２９に変えて誤挿入防止兼ディスクカートリッジ飛出し防止機構９０１を備えたものである。
即ち、この誤挿入防止兼ディスクカートリッジ飛び出し防止機構９０１は、係止部材９０２とこの係止部材９０２を偏倚させる偏倚手段としての引張りコイルばね９０３とを有し、係止部材９０２は板状部９０２ａの後端に係止部９０２ｂを立上げ状に形成し、中央部に前後方向に長い案内孔９０２ｃを穿設し、また、前端部にカム縁９０２ｄを形成して構成されている。
この係止部材９０２はカートリッジホルダー９の一方の案内支持部２０のほぼ中央部の下面側に、後端の係止部９０２ｂを案内支持部２０に形成した切欠部２０ａから内方へ突出させた状態で案内孔９０２ｃに軸ピン９０４を挿通して回動及び前後方向に摺動可能に取付けて、引張りコイルばね９０３により後方へ摺動偏倚させてある。この状態で係止部材９０２の係止部９０２ｂはカートリッジホルダー９の他側面に内方へ折り曲げ形成した係止爪片２９と対向しており、また、この係止部９０２ｂも上端縁と天井板９ａの内側との間隔寸法はディスクカートリッジ２０１の誤挿入防止溝２０７ａ，２０８ａに対応する上ハーフ２０４の側面部の厚み寸法Ｔと等しいか、おお大に形成されている。
そして、この係止部材９０２は、引張りコイルばね９０３の偏倚力に抗して前方へ摺動されると、前端部のカム縁９０２ｄが案内支持部２０に突設した突子２０ｂに摺接して軸ピン９０４を中心に外方へ回動され、係止部９０２ｂがカートリッジホルダー９の内側面側に移動、即ち、ディスクカートリッジ２０１の挿入部から逃げる状態になる。
このように、カートリッジホルダー９に誤挿入防止兼ディスクカートリッジ飛出し防止機構９０１を備えることにより、前述したディスクカートリッジ２０１と異なる３．５インチサイズのマイクロフロッピーディスクカートリッジが挿入されようとした場合はこのディスクシェルの端面の一方の角部が係止部材９０２の係止部９０２ｂに、他方の角部がカートリッジホルダー９の係止爪片２９にそれぞれ突当り挿入が阻止される。また、ディスクカートリッジ２０１が逆方向、即ち、後面側から挿入されようとした場合も後端面の一方の角部が係止部材９０２の係止部９０２ｂに、他方の角部が係止爪片２９にそれぞれ突当り挿入が阻止されることになって誤挿入が防止される。
そして、ディスクカートリッジ２０１が正規に押圧挿入されるとカートリッジ２０１の側面２０７側の誤挿入防止溝２０７ａが係止爪片２９に沿い、側面２０８側の誤挿入防止溝２０８ａが係止部材９０２の係止部９０２ｂに沿う状態でカートリッジホルダー９に対して挿入が継続される。この際、ディスクカートリッジ２０１のカートリッジ２０３の側面２０８側の誤挿入防止溝２０８ａの側面に係止部材９０２の係止部９０２ｂが引張りコイルばね９０３の偏倚力により圧接状態で摺接されるため、誤挿入防止溝２０８ａに連続して形成されているピン挿入用孔２２９が係止部材９０２の係止部９０２ｂに対応すると、係止部材９０２は引張りコイルばね９０３の偏倚力により内方へ回動し、係止部９０２ｂがピン挿入用孔２２９内に入込み係合しディスクカートリッジ２０１は一旦係止状態になるが、ディスクカートリッジ２０１は引張りコイルばね９０３の偏倚力より大の押圧力で押込まれることにより、係止部材９０２は押し退けられるように外方へ回動されて係合が解除されて挿入が継続されて、前述の場合と同様にカートリッジホルダー９内に挿入されてロック保持される。
このようにして、ディスクカートリッジ２０１がカートリッジホルダー９内にロック保持された状態から取出すアンローディング動作、即ち、前述のようにディスクカートリッジ２０１がカートリッジホルダー９から弾発的に押出される排出移動において、ディスクカートリッジ２０１の側面２０８側の誤挿入防止溝２０８ａの側面が係止部材９０２の係止部９０３ｂに摺接し、ピン挿入用孔２２９が係止部９０３ｂに対応すると前述した如く、係止部材９０２は引張りコイルばね９０３の偏倚力で回動されて係止部９０３ｂがピン嵌入用孔２２９に入込み係合し、このためディスクカートリッジ２０１は後半部がカートリッジホルダー９のカートリッジ挿抜口１８から突出した状態で係止保持される（図３４参照）。この状態でディスクカートリッジ２０１を手指で摘んでカートリッジホルダー９から抜き出して排出する。このように、ディスクカートリッジ２０１はカートリッジホルダー９からの排出においては、排出中途状態で一旦係止保持されるので、カートリッジホルダー９から不用意に飛出すことなく、ディスクカートリッジ２０１の損傷等が防止される。
以上、本発明の実施例を説明したが、この説明中において前方、後方の表現を用いたが前方はディスクカートリッジ挿入口側で後方はディスクカートリッジの挿入奥行方向である。
また、本発明は図示する実施例に限定されるものではなく、本発明の要旨を逸脱しない範囲で種々変更できるものである。例えば各部材の形状等は同じ動作を行うものであれば任意に変更できるものであり、付勢部材としてのスプリング部材もコイルスプリング、板ばね等を任意に使用できるものである。
なお、この実施例については、対物レンズ及び磁界印加ヘッドを保持するキャリッジを備えた光磁気ディスク装置が対象である場合について説明したが、磁界印加ヘッドを用いない光ディスク装置も対象となり得るものである。
以上説明したように、本発明の記録再生装置によれば、ディスクカートリッジのローディング、アンローディング動作が安定して円滑に行えると共に回転駆動機構に対するディスクのチャッキングを安定して確実に行える。
また、ヘッド手段をディスクに対して確実に対応させることができると共にディスクカートリッジのローディング、アンローディング時には支障とならない状態に確実に保持できる。また、３．５インチサイズのマイクロフロッピーディスクの誤挿入が確実に防止されて、所定の光磁気ディスクのみを確実に記録再生できる。
【図１】
0003740698.tif 000002
【図２】
0003740698.tif 000003
【図３】
0003740698.tif 000004
【図４】
0003740698.tif 000005
【図５】
0003740698.tif 000006
【図６】
0003740698.tif 000007
【図７】
0003740698.tif 000008
【図８】
0003740698.tif 000009
【図９】
0003740698.tif 000010
【図１０】
0003740698.tif 000011
【図１１】
0003740698.tif 000012
【図１２】
0003740698.tif 000013
【図１３】
0003740698.tif 000014
【図１４】
0003740698.tif 000015
【図１５】
0003740698.tif 000016
【図１６】
0003740698.tif 000017
【図１７】
0003740698.tif 000018
【図１８】
0003740698.tif 000019
【図１９】
0003740698.tif 000020
【図２０】
0003740698.tif 000021
【図２１】
0003740698.tif 000022
【図２２】
0003740698.tif 000023
【図２３】
0003740698.tif 000024
【図２４】
0003740698.tif 000025
【図２５】
0003740698.tif 000026
【図２６】
0003740698.tif 000027
【図２７】
0003740698.tif 000028
【図２８】
0003740698.tif 000029
【図２９】
0003740698.tif 000030
【図３０】
0003740698.tif 000031
【図３１】
0003740698.tif 000032
【図３２】
0003740698.tif 000033
【図３３】
0003740698.tif 000034
【図３４】
0003740698.tif 000035
0003740698.tif 000036
0003740698.tif 000037
0003740698.tif 000038
0003740698.tif 000039
0003740698.tif 000040
0003740698.tif 000041
0003740698.tif 000042